(57)【要約】【課題】オス端子溶接ピンの歪みを矯正して、オス端子溶接ピンと回路板溶接点との相対位置の精確度を向上させるオス端子台の改良構造を提供する。【解決手段】オス端子台４のベース４１の後端で、各オス端子の挿入溝４２に対応した位置に導位溝４３を設けて、オス端子溶接ピンをきれいに揃える矯正作用を持たせる。また、オス端子台４は導位溝４３の頂部に位置したヘッドキャップ５が設けられ、ヘッドキャップ５は複数できれいに整った突ピンを備え、それはそれぞれの各導位溝４３へ向かい、導位溝４３内に位置するオス端子４の溶接ピンを圧して平らにし、溶接ピンを同一高さに維持して、各溶接ピン間の高さを矯正して、各溶接ピンと回路板の各溶接点との精確度を保持して、溶接の精確度を高める。【選択図】　　図４
0003099554.tif 000002
【実用新案登録請求の範囲】
【請求項１】
複数のオス端子へ挿入し、各前記オス端子が先端から後端にかけて接合ピン、挿入固定ピンおよび溶接ピンを含み、前記溶接ピンは表面実装技術（ＳＭＴ）溶接に適合した折り曲がって平貼形態を呈するオス端子台であって、
該オス端子台が、ベースを備え、
前記ベースは、複数のオス端子を挿入しうるベース幅方向に設けられた複数の挿入溝と、前記ベース後端の各前記挿入溝に対応した位置に、前記ベースから後へ突伸されたガイド溝部とを有し、
前記オス端子を前記オス端子台の前記挿入溝へ挿入した場合には、前記オス端子の前記溶接ピンの底部近くの折り曲げ部位が前記導位溝に置かれて、前記導位溝が各前記オス端子の溶接を自然に矯正されることを特徴とするオス端子台の改良構造。
【請求項２】
前記オス端子台は、前記導位溝の頂部に配置される、ヘッドキャップを有し、前記ヘッドキャップは頂板および前記頂板から下向きに突伸された立板を含み、前記頂板を前記オス端子台に内装されると共に、前記立板は複数の整列した、各導位溝へ突き出た突出ピンとを備え、
前記導位溝内へ位置する各前記オス端子の溶接ピンを圧して平らにして、前記溶接ピンを同じ高さに維持することを特徴とする請求項１記載のオス端子台の改良構造。
【請求項３】
前記オス端子台の頂部近くの両側にそれぞれ滑溝を有し、前記滑溝中で端外側に凹部を設け、前記ヘッドキャップの前記頂板の両側にそれぞれ外向きに突出して、前記滑溝に突出して設置した翼部を形成し、前記翼部内側の位置に切り溝を設けて、
前記翼部は弾性翼部に形成され、内側に曲がってから外側に広がる弾性を備えさせて、前記翼部の外側にツメを設けて、前記滑溝の前記凹部位置に対応させて、互いに係合させることを特徴とする請求項２記載のオス端子台の改良構造。
【考案の詳細な説明】
【０００１】
【考案の属する技術分野】
本考案は、オス端子台の改良構造に関し、特にオス端子溶接ピンの歪みを矯正して、オス端子溶接ピンと回路板溶接点との相対位置の正確度を向上させることができる技術に関する。
【０００２】
【従来の技術】
科学技術の継続的な発展および新しいものと変化が求められる時代において、電子製品も次第に精細巧妙となってきたが、その小型化の過程においても、様々な付加機能が増加していった。そのため、限られた空間中で使用される接合端子の数はかえって増加した。この高密度端子を収めるために、表面実装技術（ＳＭＴ）により溶接することは、素子空間を節約する方法の一つであった。そして、この技術には、端子列と回路板の溶接点との高精度な接合が必要であった。
【０００３】
端子接合は一般的にオス端子とメス端子とを含み、メス端子は取り外すことが出来る物、例えばメモリーカード上に取り付けられる。そしてオス端子は一般的に固定性の物、例えばオス端子台（メモリーカード・ホルダーなど）上に設けられる。
【０００４】
図１はオス端子を示す平面図であり、図２は図１の側面図である。図が示すように、従来のオス端子１は先端から後端にかけて、一般的に外向きに突出してメス端子と接合する接合ピン１１、オス端子台へ挿入固定する挿入固定部１２、そして回路板と溶接する溶接ピン１３を含む。回路板とＳＭＴ溶接するのに適合させるために、溶接ピンは折り曲げて平貼形態にしなければならなかった。
【０００５】
メモリーカード・ホルダーを例にして、上述した一般のオス端子台の構造を説明する。図３は一般のオス端子台の平面図であり、図４は図３の一般的なオス端子台の縦断面図である。それらの図が示すように、一般のオス端子台２は主にベース２１の横向きに複数の挿入溝２２が設けられて、そこに複数のオス端子１を挿入する。メモリーカード・ホルダーなどのオス端子台には、挿入溝２２を上下二列且つ互いにずれた位置に設けて、設置できるオス端子数を増やす。
【０００６】
図５はオス端子を一般のオス端子台に挿入した時の縦断面図である。図示するように、各オス端子１の挿入固定部１２をオス端子台２の挿入溝２２に挿入固定すると、オス端子１の接合ピン１１は前方に突出してメス端子（図示せず）に接合し、回路板３を設定した溶接点と溶接するために溶接ピン１３を後へ突出させる。
【０００７】
しかしながら、一般のオス端子台２にオス端子１を挿入固定して結合する際には、次のような欠点があった。一般のオス端子１は、その成型過程およびオス端子台２へ挿入するなどといった加工過程において、外力あるいは施力が適当でないため、オス端子１の溶接ピン１３の左右および／または上下の歪みは防止できなかった。また、上述した一般のオス端子台２はそのオス端子１との結合関係上、僅かに挿入溝２２が設置されるだけである。
そのため、オス端子１を挿入溝２２に挿入固定すると、オス端子が外に突出した溶接ピン１３は宙に浮いてどこにも接しない状態となり、オス端子１の溶接ピン１３の歪みを矯正することはできなかった。
そしてこの時、オス端子１の溶接ピン１３と回路板３の溶接位置との間に所定な誤差が形成されるため、上記溶接ピン１３を上記回路板３に正確に位置合わせすることはできなかった。そのため溶接する際に接続不良またはショートの事態が発生し、製品の不良率が高まる可能性があった。
また、このような不良製品製造を回避するためには、上記溶接ピン１３と回路板３との接合に時間を要し、製作時間の浪費と生産コストの増大を招いた。そのため、この欠点に対する改善が求められていた。
【０００８】
【考案が解決しようとする課題】
オス端子溶接ピンの歪みを矯正して、オス端子溶接ピンと回路板溶接点との相対位置の精度を向上することができるオス端子台の改良構造を提供する。
【０００９】
【課題を解決するための手段】
上述の目的を達成するために、本考案は、オス端子台のベースの後端で各オス端子の挿入溝に対応した位置に導位溝が設けられ、オス端子溶接ピンをきれいに揃える矯正作用を持たせる。そして溶接ピンを直線性偏差の範囲内に保持して、溶接の精確度を高め、製品の不良率および生産コストを効果的に下げる。
【００１０】
また、オス端子台には導位溝の頂部に位置したヘッドキャップが設けられ、ヘッドキャップは複数できれいに整った突ピンを備え、それはそれぞれの各導位溝へ向かい、導位溝内に位置するオス端子の溶接ピンを圧して平らにし、溶接ピンを同一高さに維持して、各溶接ピン間の高さを矯正して、各溶接ピンと回路板の各溶接点との精確度を保持して、溶接の精確度を高めて、製品不良率および生産コストを効果的に高める。
【００１１】
【考案の実施の形態】
以下、本考案の構造、特長およびその機能を、実施例の図面に基づき、より詳しく説明する。
【００１２】
図１は本考案のオス端子台にオス端子を挿入し、ヘッドキャップを設けた時の斜視図である。図２は図１のヘッドキャップを定位置に設置した時の斜視図である。図３は本考案のオス端子台の縦断面図である。図４は図２の構造を示す縦断面図である。図５は本考案のオス端子台へオス端子を挿入した状態を示す平面図である。図６は本考案のオス端子台へオス端子を挿入した時の縦断面図である。
図７は図２中のＡ部分の縦断面図である。
【００１３】
図が示すように、本考案のオス端子台４は、複数のオス端子１が差し込まれうる横向きに設けられた複数の挿入溝４２にベース４１を備える。本考案はさらにベース４１の後端に、各端子の挿入溝４２に対応した位置に導位溝４３が設けられて、それら導位溝４３はベースから後方へ向かって延伸されている。
オス端子１をオス端子台４へ挿入すると、オス端子の挿入固定部１２がオス端子台の挿入溝４２に挿入固定されて、オス端子１の溶接ピン１３の底部近くにある折曲部位１４も上述した導位溝４３へ同時に配置される。
導位溝４３は各オス端子１の溶接ピン１３の左右間隔を整えて矯正し、上記溶接ピン１３は様々な加工過程において左右方向の歪みが発生するが、このような歪みを含めて配置状態が矯正され、各端子の溶接ピン１３と回路板３の溶接点とが正確に合わせられ、その結果、溶接の精確度が向上する。
【００１４】
また、本考案のオス端子台４は上述した導位溝４３の上方に配置されるヘッドキャップ５が設けられ、ヘッドキャップ５は、頂板５１および頂板５１から下向きに延伸された立板５２を含む。ヘッドキャップ５はオス端子台４に固定される場合には、頂板５１はオス端子台４に内装され、立板５２は各ガイド溝部４３へ対向する複数での揃ったピン５３を有し、導位溝内に位置するオス端子１の溶接ピン１３を圧して平らにする。
そのため、それらの溶接ピンは同じ高さに維持されて、溶接ピン１３の高低位置が偏移することを防止し、各オス端子１の溶接ピン１３間の高さを矯正して揃え、それら溶接ピンと回路板３の各溶接点とを正確に合わせて、溶接の精度を高める。
【００１５】
上述のヘッドキャップ５とオス端子台４を組合せた構造の一実施例を図２から図７に示す。
オス端子台４の頂部近くの両側にそれぞれ滑溝４４を設け、滑溝４４中の端部外側に凹部４５を設ける。ヘッドキャップ５の頂板５１両側にはそれぞれ外側に突出した翼部５４が設けられて、それをオス端子台４の滑溝４４に収納する。滑溝４４の凹部４５の位置に対応するように、翼部５４の外側にはツメ５５が設けられ、翼部５４の内側には切り溝５６が設けられている。また、上記翼部５４は弾性翼部に形成し内側に曲がってから外側に広がるような弾性を持たせる。
そのため、ヘッドキャップ５の翼部５４はオス端子台４の滑溝４４内へ入れることができ、そのヘッドキャップを定位置へ押し入れると（即ちそのツメ５５と滑溝４４の凹部４５が合わさる時）、ヘッドキャップのツメ５５は隙間を求めて外へ広がって滑溝４４の凹部４５に引っかかり、両者は固定される。
この時、ヘッドキャップ５の立板５２の各ピン５３もオス端子台４の導位溝４３内に位置する各オス端子１の溶接ピン１３を圧して平らにし、それら溶接ピンを同じ高さへ維持して、各オス端子１の溶接ピン１３間の高さを矯正して揃える。
【００１６】
本考案では好ましい実施例を前述の通り開示したが、これらは決して本考案に限定するものではなく、当該技術を熟知する者なら誰でも、本考案の精神と領域を脱しない範囲内で各種の変形を加えることができ、従って本考案の保護範囲は、請求の範囲で指定した内容を基準とする。
【００１７】
【考案の効果】
上述したことをまとめると、本考案はオス端子台の改良構造を提供して、オス端子溶接ピンをきれいに揃えて矯正する作用を備え、溶接の精確度を高めて、製品の不良率および生産コストを効果的に下げることもできる。
【図面の簡単な説明】
【図１】本考案のオス端子台にオス端子を挿入して、ヘッドキャップを設けた時の斜視図である。
【図２】図１のヘッドキャップを定位させた時の斜視図である。
【図３】本考案のオス端子台を示す縦断面図である。
【図４】図２に係るヘッドキャップの構造を示す縦断面図である。
【図５】本考案のオス端子台にオス端子を設けた時の平面図である。
【図６】本考案のオス端子台にオス端子を設けた時の縦断面図である。
【図７】図２に示されたヘッドキャップのＡ部分を示す縦断面図である。
【図８】従来の技術にかかるオス端子の平面図である。
【図９】図８に示されるオス端子の側面図である。
【図１０】従来の技術にかかるオス端子台の平面図である。
【図１１】１０のオス端子台の縦断面図である。
【図１２】図１０のオス端子台へオス端子を挿入した時の縦断面図である。
【符号の説明】
４　　オス端子台
４１　　ベース
４２　　挿入溝
４３　　導位溝
４４　　滑溝
４５　　凹部
５　　ヘッドキャップ
５１　　頂板
５２　　立板
５３　　ピン
５４　　翼部
５５　　ツメ
５６　　切り溝
【図１】
0003099554.tif 000003
【図２】
0003099554.tif 000004
【図３】
0003099554.tif 000005
【図４】
0003099554.tif 000006
【図５】
0003099554.tif 000007
【図６】
0003099554.tif 000008
【図７】
0003099554.tif 000009
【図８】
0003099554.tif 000010
【図９】
0003099554.tif 000011
【図１０】
0003099554.tif 000012
【図１１】
0003099554.tif 000013
【図１２】
0003099554.tif 000014